(57)【要約】【課題】ユーザが必要とする情報を好適に表示可能にするナビゲーション装置を実現する。【解決手段】ナビゲーション装置１において、情報発信エリアから発信される情報に関する表示画面データを受信可能な状態となると、報知画面１３ａが表示部１３に表示されるので、その報知画面１３ａにおけるタッチスイッチＮを操作することによって、次の階層の表示画面１３ｂを表示部１３に表示させることができ、更に、表示画面１３ｂのタッチスイッチＮを操作することを繰り返すことによって、階層順に表示画面１３ｂの表示が切り替えられるので、ユーザはそれら表示画面１３ｂによって通知される様々な情報を得ることが可能になる。【選択図】図１
2009002684.tif 000002
【特許請求の範囲】
【請求項１】
現在位置を測位する測位手段と、地図に関する情報を記憶する地図情報記憶手段と、前記測位手段により測位された現在位置を前記地図情報記憶手段に記憶された地図とともに表示部に表示させる地図表示制御手段と、を備えるナビゲーション装置において、
情報発信エリアから発信される、所定の情報に関して階層付けされた複数の表示画面データを受信する受信部と、
前記受信部を介して受信可能な表示画面データの有無を判断する判断手段と、
前記判断手段により受信可能な表示画面データがあると判断された場合に、階層順に前記表示画面データを受信させて、その表示画面データに応じた表示画面を前記表示部に表示させるように切り替える画面切替手段と、
を備えることを特徴とするナビゲーション装置。
【請求項２】
前記表示部に表示中の表示画面に対応して配され、次の階層順の表示画面に切り替えるための操作入力部を備え、
前記画面切替手段は、前記操作入力部に対する操作に伴い、次の階層順の表示画面に切り替えることを特徴とする請求項１に記載のナビゲーション装置。
【請求項３】
現在位置を測位する測位手段と、地図に関する情報を記憶する地図情報記憶手段と、前記測位手段により測位された現在位置を前記地図情報記憶手段に記憶された地図とともに表示部に表示させる地図表示制御手段と、を備えるナビゲーション装置において、
情報発信エリアから発信される、所定の情報に関して階層付けられた複数の表示画面データを受信する受信部と、
前記受信部を介して受信可能な表示画面データの有無を判断する判断手段と、
前記判断手段により受信可能な表示画面データがあると判断された場合に、前記表示部に表示中の表示画面に対応して配される表示画面切替用の操作入力部が操作されたことに伴い、階層順に前記表示画面データを受信させて、その表示画面データに応じた表示画面を前記表示部に表示させるように切り替える画面切替手段と、
を備えることを特徴とするナビゲーション装置。
【発明の詳細な説明】
【技術分野】
【０００１】
本発明は、ナビゲーション装置に関する。
【背景技術】
【０００２】
従来、低速走行又は停止している車両だけに商業情報を提供するために、路上機制御部から送信するデータを分割するとともに、その分割データを送信するタイミングを制御することによって、通常走行中の車両のナビゲーション装置に不必要な情報を表示させないようにする技術が知られている（例えば、特許文献１参照。）。
【０００３】
また、車両に設置された移動端末に各種情報を提供する路測装置に向かって移動する車両に対して、予め情報の内容を通知したり、路測装置における通信の混雑情報を視認可能に表示したりする技術が知られている（例えば、特許文献２参照。）。
また、路上機から発信される音声案内に関する分割された音声データを受信し一時記憶して、全ての音声データを揃えたうえで、その案内についての音声を発生させる技術が知られている（例えば、特許文献３参照。）。
また、交通信号機の信号制御器からの情報に基づき、ナビゲーション装置の動作モードを切り替える技術が知られている（例えば、特許文献４参照。）。
また、出発地から目的地までの経路を案内するための経路・案内データを分割して情報センタから移動体側へ送るナビゲーションシステムにおいて、分割されたデータを受信できない場合でも、車両を目的地まで案内することを可能にする技術が知られている（例えば、特許文献５参照。）。
【特許文献１】特開２００６−５９２５０号公報
【特許文献２】特開２００４−３６３９９６号公報
【特許文献３】特開平１１−６８６５０号公報
【特許文献４】特開２００５−１５６４００号公報
【特許文献５】特開２００１−１４７１３２号公報
【発明の開示】
【発明が解決しようとする課題】
【０００４】
しかしながら、上記特許文献１の場合、分割された個々のデータは小さくて軽いものであっても、ナビゲーション装置に所定の情報を表示するために全てのデータを揃えると、ナビゲーション装置のメモリには負荷がかかり、情報の表示処理に時間を要することがあるという問題があった。そして、ユーザが必要とする情報の表示に不具合が生じてしまうことがあった。
【０００５】
また、上記特許文献２〜５の従来技術では、所定の情報を必要とするユーザのナビゲーション装置や端末装置に情報提供する際に、不要な情報を表示しないようにして、装置のメモリにかかる負荷を軽減し、各種処理を実行可能にすることはできなかった。
【０００６】
本発明の目的は、ユーザが必要とする情報を好適に表示可能にするナビゲーション装置を提供することである。
【課題を解決するための手段】
【０００７】
以上の課題を解決するため、請求項１に記載の発明は、
現在位置を測位する測位手段と、地図に関する情報を記憶する地図情報記憶手段と、前記測位手段により測位された現在位置を前記地図情報記憶手段に記憶された地図とともに表示部に表示させる地図表示制御手段と、を備えるナビゲーション装置において、
情報発信エリアから発信される、所定の情報に関して階層付けされた複数の表示画面データを受信する受信部と、
前記受信部を介して受信可能な表示画面データの有無を判断する判断手段と、
前記判断手段により受信可能な表示画面データがあると判断された場合に、階層順に前記表示画面データを受信させて、その表示画面データに応じた表示画面を前記表示部に表示させるように切り替える画面切替手段と、
を備えることを特徴とする。
【０００８】
請求項２に記載の発明は、請求項１に記載のナビゲーション装置において、
前記表示部に表示中の表示画面に対応して配され、次の階層順の表示画面に切り替えるための操作入力部を備え、
前記画面切替手段は、前記操作入力部に対する操作に伴い、次の階層順の表示画面に切り替えることを特徴とする。
【０００９】
請求項３に記載の発明は、
現在位置を測位する測位手段と、地図に関する情報を記憶する地図情報記憶手段と、前記測位手段により測位された現在位置を前記地図情報記憶手段に記憶された地図とともに表示部に表示させる地図表示制御手段と、を備えるナビゲーション装置において、
情報発信エリアから発信される、所定の情報に関して階層付けられた複数の表示画面データを受信する受信部と、
前記受信部を介して受信可能な表示画面データの有無を判断する判断手段と、
前記判断手段により受信可能な表示画面データがあると判断された場合に、前記表示部に表示中の表示画面に対応して配される表示画面切替用の操作入力部が操作されたことに伴い、階層順に前記表示画面データを受信させて、その表示画面データに応じた表示画面を前記表示部に表示させるように切り替える画面切替手段と、
を備えることを特徴とする。
【発明の効果】
【００１０】
本発明によれば、ナビゲーション装置において、受信部を介して受信可能な複数の表示画面データがあると判断された場合に、階層順に表示画面データを受信して、それぞれの表示画面データに応じた表示画面を、階層順に順次切り替えて表示部に表示することができる。
そして、ユーザは、階層順に切り替えられて、表示部に表示されるそれぞれの表示画面によって通知される情報から必要とする情報を得ることができる。
つまり、このナビゲーション装置は、ユーザが必要とする情報を好適に表示可能にする装置であるといえる。
【発明を実施するための最良の形態】
【００１１】
以下、図を参照して、本発明に係るナビゲーション装置の実施形態を詳細に説明する。なお、発明の範囲は、図示例に限定されない。
【００１２】
ナビゲーション装置１は、図１に示すように、ＣＰＵ（Central Processing Unit）１１と、ＧＰＳアンテナ１２と、表示部１３と、入力部１４と、電源部１５と、受信部１６と、ＲＡＭ（Random Access Memory）１７と、記憶部１８等を備えている。また、上記各部はバス１０によって接続されている。
このナビゲーション装置１は、車両に着脱可能に構成されており、車両に搭載して使用することと、ユーザが携帯して使用することが可能なポータブル型のナビゲーション装置である。
【００１３】
ＣＰＵ１１は、記憶部１８に記憶されたナビゲーション装置用の各種処理プログラムに従って各種の制御動作を行う。
【００１４】
ＧＰＳアンテナ１２は、地球低軌道に打ち上げられた複数のＧＰＳ衛星から送信されるＧＰＳ信号（アルマナック（概略軌道情報）やエフェメリス（詳細軌道情報）など）を受信して、その受信したＧＰＳ信号をＣＰＵ１１に出力する。
【００１５】
表示部１３は、例えば、液晶表示機器等から構成され、ＣＰＵ１１から入力される表示信号に従って、各種画面を表示する。例えば、表示部１３は、地図情報に基づく道路地図や、地図上に示されるナビゲーション装置１の現在位置に対応する地点の道路名や地域名などを表示する。
【００１６】
入力部１４は、例えば、文字／数字キー、各種機能キー、表示部１３と一体的に設けられたタッチパネル等から構成され、ユーザにより操作されると、その操作に伴う押下信号をＣＰＵ１１に出力する。また、入力部１４は、例えば、リモートコントローラのように装置を遠隔操作可能な構成であってもよい。
【００１７】
電源部１５は、ナビゲーション装置１を構成する各部に電力を供給するためのものであり、例えば、主電源部１５１と、予備電源部１５２とを備えている。
主電源部１５１は、例えば、電気コード（図示省略）を介してナビゲーション装置１が設置された車両から供給される電力を、ナビゲーション装置１を構成する各部に供給する電源である。
予備電源部１５２は、例えば、バッテリ（図示省略）等の内部電池であって、車両における装置設置台（図示省略）からナビゲーション装置１が取り外された場合に、ナビゲーション装置１を構成する各部に電力を供給する電源である。
すなわち、例えば、ナビゲーション装置１が設置された車両のエンジンが起動している間は、主電源部１５１がナビゲーション装置１に電力を供給し、また、ナビゲーション装置１が設置台から取り外された際や、設置された車両のエンジンが起動していない間は、予備電源部１５２がナビゲーション装置１に電力を供給する。
【００１８】
受信部１６は、例えば、情報発信エリアとなる店舗などの商業施設から発信される所定の情報に関する無線信号を、無線アンテナ１６１を介して受信して、その受信した無線信号をＣＰＵ１１に出力する。
この受信部１６が受信可能とする無線信号は、所定の情報について階層付けされた複数の表示画面データに関するものであり、表示部１３に所定の情報に関する表示画面を表示させるデータ（信号）である。
【００１９】
ＲＡＭ１７は、例えば、ＣＰＵ１１により実行される処理プログラム等を展開するためのプログラム格納領域や、入力データや処理プログラムが実行される際に生じる処理結果等を格納するデータ格納領域などを備える。
【００２０】
記憶部１８は、例えば、ナビゲーション装置１で実行可能なシステムプログラム、そのシステムプログラムで実行可能な各種処理プログラム、これら各種処理プログラムを実行する際に使用されるデータ、ＣＰＵ１１により演算処理された処理結果のデータ等を記憶する。なお、プログラムは、コンピュータが読み取り可能なプログラムコードの形で記憶部１８に記憶されている。
具体的には、記憶部１８は、例えば、地図情報データベース１８ａと、測位プログラム１８１と、マップマッチング制御プログラム１８２と、経路設定プログラム１８３と、地図表示制御プログラム１８４と、判断プログラム１８５と、画面切替プログラム１８６等を記憶している。
【００２１】
地図情報データベース１８ａは、地図情報記憶手段として機能し、所定の地域内（例えば、日本全土）を表現したカーナビゲーション用の道路地図など地図に関する地図情報を記憶する。
【００２２】
測位プログラム１８１は、ＧＰＳアンテナ１２から出力されたＧＰＳ信号に基づいて、ナビゲーション装置１が設置されている車両や、ナビゲーション装置１を所持するユーザの２次元的な現在位置（緯度、経度）を測位する機能をＣＰＵ１１に実現させるプログラムである。
つまり、ＣＰＵ１１が測位プログラム１８１を実行することによって、ナビゲーション装置１の現在位置を測位する測位手段として機能する。なお、ＧＰＳアンテナ１２は測位手段の一部として機能する。
【００２３】
マップマッチング制御プログラム１８２は、測位手段としてのＣＰＵ１１により測位されたナビゲーション装置１の現在位置を、地図情報データベース１８ａに記憶された地図情報に対応付けるマップマッチングを行う機能をＣＰＵ１１に実現させるプログラムである。
つまり、ＣＰＵ１１がマップマッチング制御プログラム１８２を実行することにより、ナビゲーション装置１が設置されている車両の現在位置や、ナビゲーション装置１を携帯しているユーザの現在位置を、地図情報に照合してそのナビゲーション装置１の地図情報に対応する道路地図上にマッチングさせるマップマッチング制御手段として機能する。
そして、例えば、マップマッチング制御手段としてのＣＰＵ１１によって道路地図上にマッチングされた車両の現在位置やユーザの現在位置を表す指標（マーク）Ｍが道路地図上に示された地図画面が表示部１３に表示されるようになっている。
【００２４】
経路設定プログラム１８３は、ユーザにより指定された出発地から目的地までの経路を設定する機能をＣＰＵ１１に実現させるプログラムである。
つまり、ＣＰＵ１１が経路設定プログラム１８３を実行することにより、地図情報データベース１８ａから経路探索用地図データを読み出し、ナビゲーション装置１が設置されている車両の現在位置や、ナビゲーション装置１を所持するユーザの現在位置に相当する出発地から、入力部１４における操作入力により指定された目的地データ（例えば、緯度・経度データや目的地コードなどの位置指定データ）に対応する目的地までの経路を探索し、好適な経路を設定する経路設定手段として機能する。なお、経路設定の際に出発地を現在位置とせずに、出発地を目的地と同様に入力部１４における操作入力などにより指定するようにしてもよい。
なお、経路探索処理において、「一般道路優先」、「高速道路優先」、「距離優先」、「時間優先」などの設定により経路を探索し、ユーザが所望する最適な経路を設定することができるようになっている。
【００２５】
地図表示制御プログラム１８４は、経路設定手段としてのＣＰＵ１１により設定された経路を地図情報データベース１８ａに記憶された地図とともに表示部１３に表示させる機能をＣＰＵ１１に実現させるプログラムである。
つまり、ＣＰＵ１１が地図表示制御プログラム１８４を実行することにより、設定された経路（Ｒ）を地図上に示して表示部１３に表示する地図表示制御手段として機能する。
また、地図表示制御手段としてのＣＰＵ１１は、測位手段としてのＣＰＵ１１により測位された現在位置を地図情報データベース１８ａに記憶された地図とともに表示部１３に表示させる。
そして、地図表示制御手段としてのＣＰＵ１１は、地図と地図上の経路とユーザの現在位置を表示部１３に表示させる処理を実行する。
【００２６】
判断プログラム１８５は、受信部１６を介して受信可能な表示画面データの有無を判断する機能をＣＰＵ１１に実現させるプログラムである。
つまり、ＣＰＵ１１が判断プログラム１８５を実行することにより、情報発信エリアから発信される所定の情報について階層付けされた複数の表示画面データに関する無線信号を受信部１６にて受信可能な状態であるか否かを判断する判断手段として機能する。
そして、判断手段としてのＣＰＵ１１は、受信部１６を介して受信可能な表示画面データ（無線信号）があると判断すると、情報発信エリアから発信される所定の情報がある旨を報知する報知画面を表示部１３に表示させる処理を実行する。
なお、報知画面には、次の階層順の表示画面に切り替えるための操作入力部となるタッチスイッチＮが備えられている。このタッチスイッチＮは、表示部１３に表示されるスイッチとそのスイッチの位置に対応する入力部１４のタッチパネルとによって構成される。
【００２７】
画面切替プログラム１８６は、判断手段としてのＣＰＵ１１により受信可能な表示画面データ（無線信号）があると判断された場合に、階層付けされた複数の表示画面データを階層順に順次受信させ、各表示画面データに応じた表示画面を表示部１３に表示させるように、階層順に表示画面を切り替える機能をＣＰＵ１１に実現させるプログラムである。
つまり、ＣＰＵ１１が画面切替プログラム１８６を実行することにより、受信部１６を介して階層順に表示画面データを受信し取得して、階層付けされた複数の表示画面データに対応する表示画面を階層順に切り替えて表示部１３に表示する画面切替手段として機能する。
具体的には、画面切替手段としてのＣＰＵ１１が表示部１３に表示する表示画面データに基づく表示画面には、次の階層順の表示画面に切り替えるための操作入力部となるタッチスイッチＮが備えられており、この表示画面切替用の操作入力部であるタッチスイッチＮが操作されたことに伴い、画面切替手段としてのＣＰＵ１１は、次の階層順の表示画面データを受信し、その表示画面データを記憶部１８における画像格納領域に一時的に記憶して取得し、その表示画面データに応じた表示画面を表示部１３に表示させる処理を実行する。
なお、タッチスイッチＮが操作された際に、前の階層の表示画面データを消去し、現在表示中の表示画面の表示画面データのみを記憶部１８に格納するようになっている。このように、階層付けされた複数の表示画面データのうち、表示する対象となる表示画像データのみを記憶部１８に格納することによって、記憶部１８にかかる負荷や負担を軽減することが可能になる。
【００２８】
次に、ナビゲーション装置１における表示画面切替処理について、図２に示すフローチャートに基づき説明する。
【００２９】
まず、ナビゲーション装置１における入力部１４のメインスイッチ（図示省略）がオンされて、電源部１５から電力が供給されることに伴い、ナビゲーション装置１が起動する（ステップＳ１０１）。
【００３０】
次いで、ＣＰＵ１１は、ナビゲーション装置１の現在位置（現在地点）を測位するとともに、ナビゲーション装置１の現在位置を、地図情報データベース１８ａに記憶された地図情報の道路地図に対応付けるマップマッチングを行う（ステップＳ１０２）。
【００３１】
次いで、ＣＰＵ１１は、ユーザのいる現在地点である出発地から、入力部１４を介して指定された目的地までの経路Ｒを探索して、最適な経路Ｒを設定し、例えば、図３に示すように、その経路Ｒを表示部１３に表示する（ステップＳ１０３）。
また、図３に示す表示画面には、設定された経路Ｒ上に、ユーザの現在位置を示すマークＭが表示されている。
【００３２】
次いで、ＣＰＵ１１は、経路Ｒを移動するユーザに応じたナビゲーション処理を実行し（ステップＳ１０４）、例えば、ユーザの移動に伴う現在位置（Ｍ）の表示変更や、地図の表示変更などを行う。
【００３３】
そして、ＣＰＵ１１は、ユーザが目的地に到着したか否かを判断する（ステップＳ１０５）。
ＣＰＵ１１が、ユーザの現在位置（Ｍ）が目的地に一致し、ユーザ（ナビゲーション装置１）が目的地に到着したと判断すると（ステップＳ１０５；Ｙｅｓ）、ステップＳ１１２へ進む。
【００３４】
一方、ＣＰＵ１１が、ユーザの現在位置（Ｍ）が目的地に一致せず、ユーザ（ナビゲーション装置１）が目的地に到着していないと判断すると（ステップＳ１０５；Ｎｏ）、ステップ１０６へ進む。
【００３５】
ステップＳ１０６において、ＣＰＵ１１は、受信部１６を介して受信可能な表示画面データ（無線信号）があるか否かを判断する（ステップＳ１０６）。
ＣＰＵ１１が、受信可能な表示画面データ（無線信号）はないと判断すると（ステップＳ１０６；Ｎｏ）、ステップＳ１０４に戻る。
一方、ＣＰＵ１１が、受信可能な表示画面データ（無線信号）があると判断すると（ステップＳ１０６；Ｙｅｓ）、ＣＰＵ１１は、例えば、図４に示すように、情報発信エリアであるＡＢＣマーケットから発信される所定の情報がある旨を報知する報知画面１３ａを表示部１３に表示させる（ステップＳ１０７）。この報知画面１３ａには、次の階層順の表示画面に切り替えるためのタッチスイッチＮと、報知画面１３ａを閉じる閉スイッチＣとが備えられている。なお、この閉スイッチＣは、タッチスイッチＮと同様に、表示部１３に表示されるスイッチとそのスイッチの位置に対応する入力部１４のタッチパネルとによって構成されている。
【００３６】
次いで、ＣＰＵ１１は、タッチスイッチＮが押下される操作入力がなされたか否かを判断する（ステップＳ１０８）。
ＣＰＵ１１が、タッチスイッチＮが押下されたと判断すると（ステップＳ１０８；Ｙｅｓ）、ＣＰＵ１１は、次の階層の表示画面データを受信し、その表示画面データを記憶部１８の画像格納領域に一時的に記憶して、例えば、図５に示すように、次の階層の表示画面１３ｂを表示部１３に表示させて（ステップＳ１０９）、ステップＳ１０８に戻る。なお、この表示画面１３ｂには、次の階層順の表示画面に切り替えるためのタッチスイッチＮと、表示画面１３ｂを閉じる閉スイッチＣとが備えられている。
【００３７】
ここで、図４に示す報知画面１３ａが０階層の表示画面であるとすると、図５に示す表示画面１３ｂは１階層目の表示画面であり、「ＡＢＣマーケット・本日、特別セール実施中！」との情報（メッセージ）が表示されている。
更に、図５に示す１階層目の表示画面１３ｂにおいて、タッチスイッチＮが押下される操作入力がなされると、例えば、図６に示す２階層目の表示画面１３ｂが表示され、「ＡＢＣマーケット・生鮮品全品１０％オフ！」との情報（メッセージ）が表示される。
更に、図６に示す２階層目の表示画面１３ｂにおいて、タッチスイッチＮが押下される操作入力がなされると、例えば、図７に示す３階層目の表示画面１３ｂが表示され、「ＡＢＣマーケット・５０００円以上お買い上げでさらに５％オフ！！」との情報（メッセージ）が表示される。
更に、図７に示す３階層目の表示画面１３ｂにおいて、タッチスイッチＮが押下される操作入力がなされると、例えば、図８に示す４階層目の表示画面１３ｂが表示され、「ＡＢＣマーケット・駅前店舗では開店セール中、マップコード１２３．４５６．７８９」との情報（メッセージ）が表示される。
なお、次の階層の表示画面１３ｂに切り替えるために、タッチスイッチＮが操作されると、それまで表示されていた表示画面１３ｂの表示画面データ（前の階層の表示画面データ）を画像格納領域から削除し、受信して得た次の階層の表示画面データを画像格納領域に格納して、その格納された表示画面データに応じた表示画面１３ｂを表示部１３に表示することで、表示画面が切り替えられるようになっている。
【００３８】
このように、情報発信エリアから発信される情報に関する信号を受信可能な状態となって、ナビゲーション装置１の表示部１３に報知画面１３ａが表示されて、所定の情報がある旨が報知された際に、その情報をより詳しく得ようとする場合には、ユーザはその情報発信エリアから発信される信号を受信可能な位置に停止するなどして留まることが好ましい。
つまり、情報発信エリアから発信される信号を受信可能な位置において、タッチスイッチＮを操作することによって、次の階層の表示画面１３ｂを表示させることができ、その表示画面１３ｂから情報を得ることができることとなる。
【００３９】
一方、ステップＳ１０８において、ＣＰＵ１１が、タッチスイッチＮは押下されていないと判断すると（ステップＳ１０８；Ｎｏ）、ＣＰＵ１１は、報知画面１３ａや表示画面１３ｂにおける閉スイッチＣが押下されたか否かを判断する（ステップＳ１１０）。
ＣＰＵ１１が、報知画面１３ａや表示画面１３ｂにおける閉スイッチＣは押下されていないと判断すると（ステップＳ１１０；Ｎｏ）、ステップＳ１０８に戻る。
一方、ＣＰＵ１１が、報知画面１３ａや表示画面１３ｂにおける閉スイッチＣが押下されたと判断すると（ステップＳ１１０；Ｙｅｓ）、ＣＰＵ１１は、表示画面（報知画面１３ａ、表示画面１３ｂ）を消去して（ステップＳ１１１）、ステップＳ１０４に戻る。なお、ＣＰＵ１１は、それまで表示されていた表示画面１３ｂに関する表示画面データを画像格納領域から削除して、その表示を消去する。
【００４０】
そして、ステップＳ１１２において、ＣＰＵ１１は、表示部１３に目的地到着メッセージを表示したり、音声などで到着メッセージをアナウンスしたりして（ステップＳ１１２）、表示画面切替処理やナビゲーション処理を終了する。
【００４１】
以上のように、本発明に係るナビゲーション装置１において、情報発信エリアから発信される情報に関する表示画面データ（無線信号）を受信可能な状態となると、受信して取得可能な所定の情報がある旨をユーザに報知する報知画面１３ａが表示部１３に表示される。
そして、ナビゲーション装置１の表示部１３に表示された報知画面１３ａにおけるタッチスイッチＮを操作することによって、次の階層の表示画面１３ｂを表示部１３に表示させることができるので、ユーザはその表示画面１３ｂによって通知される情報を得ることが可能になる。そして、表示画面１３ｂのタッチスイッチＮを操作することを繰り返すことによって、階層順に表示画面１３ｂの表示が切り替えられえて、各表示画面１３ｂからそれぞれ必要な情報を得ることができる。
特に、このナビゲーション装置１は、タッチスイッチＮが操作されることに伴い、階層付けられた複数の表示画面データを階層順に順次受信し、受信した表示画面データであって表示部１３に表示画面１３ｂとして表示するデータのみを記憶部１８の画像格納領域に一時的に格納するので、記憶部１８にかかる負荷や負担を軽くして、表示画面データに応じた表示画面１３ｂを表示部１３に表示することができる。
【００４２】
このようにナビゲーション装置１は、ユーザがタッチスイッチＮを操作することによって、情報発信エリアから発信される複数の表示画面データを階層順に受信し取得して、階層順に表示画面１３ｂを表示部１３に表示させることができるので、ユーザは所望する情報を得るためにタッチスイッチＮを操作して表示画面１３ｂを切り替えて、必要とする情報を得ることができる。
つまり、このナビゲーション装置１は、ユーザが必要とする情報を好適に表示可能にするナビゲーション装置であるといえる。
【００４３】
なお、以上の実施の形態においては、受信部１６が受信可能とする無線信号は、所定の情報について階層付けされた複数の表示画面データに関するものであるとしたが、本発明はこれに限定されるものではなく、例えば、図示しないスピーカから出力する音声に関する音声データがあってもよく、表示部１３に表示される表示画面とともに音声案内を出力するようにしてもよい。
【００４４】
また、以上の実施の形態においては、操作入力部としてのタッチスイッチＮは表示部１３と一体のタッチパネルであるとしたが、本発明はこれに限定されるものではなく、例えば、操作入力部は、階層毎に予め装置に備えられるキーやスイッチであってもよい。
【００４５】
また、以上の実施の形態では、情報発信エリアを商業施設とした例を挙げて、その商業施設近辺において商業施設に関する情報を無線信号で発信する場合について説明したが、本発明はこれに限定されるものではなく、例えば、市街地などの要所に設けられた情報発信基地からその市街地地域に含まれる施設や観光地などの情報を、その地点を特定するためのマップコードとともに発信するようにしてもよい。
【００４６】
また、その他、具体的な細部構造等についても適宜に変更可能であることは勿論である。
【図面の簡単な説明】
【００４７】
【図１】本発明に係るナビゲーション装置の要部構成を示すブロック図である。
【図２】ナビゲーション装置における表示画面切替処理を示すフローチャートである。
【図３】経路が表示された地図画面の一例を示す説明図である。
【図４】報知画面が表示された表示例を示す説明図である。
【図５】階層付けされた表示画面が表示された表示例を示す説明図である。
【図６】階層付けされた表示画面が表示された表示例を示す説明図である。
【図７】階層付けされた表示画面が表示された表示例を示す説明図である。
【図８】階層付けされた表示画面が表示された表示例を示す説明図である。
【符号の説明】
【００４８】
１      ナビゲーション装置
１１    ＣＰＵ（測位手段、地図表示制御手段、判断手段、画面切替手段）
１２    ＧＰＳアンテナ（測位手段）
１３    表示部（操作入力部）
１３ａ  報知画面
１３ｂ  表示画面
１４    入力部（操作入力部）
１５    電源部
１６    受信部
１７    ＲＡＭ
１８    記憶部
１８ａ  地図情報データベース（地図情報記憶手段）
１８１  測位プログラム
１８２  マップマッチング制御プログラム
１８３  経路設定プログラム
１８４  地図表示制御プログラム
１８５  判断プログラム
１８６  画面切替プログラム
Ｍ      マーク（現在位置）
Ｒ      経路
Ｎ      タッチスイッチ（操作入力部）
Ｃ      閉スイッチ
【図１】
2009002684.tif 000003
【図２】
2009002684.tif 000004
【図３】
2009002684.tif 000005
【図４】
2009002684.tif 000006
【図５】
2009002684.tif 000007
【図６】
2009002684.tif 000008
【図７】
2009002684.tif 000009
【図８】
2009002684.tif 000010